(57)【要約】【課題】キャビネットと、フラットディスプレイパネルと、フィルタとを組付ける際、本工程ラインでの容易な組付けを可能とする。【解決手段】ライン上に載置したキャビネット１２に上方から載置したフィルタ１３をパネルホルダ１４、及びフィルタホルダ１５間で挟持固定し、同じく上方から載置したフラットディスプレイパネル１１ｅを固定する。さらに、キャビネット１２をライン上に載置した状態で、上方から前記プラズマディスプレイパネル１１ｅ、及び前記フィルタ１３を前記パネルホルダ１４及び前記フィルタホルダ１５を介して重ね、上方よりネジ締結可能とした。【選択図】図２
2007114671.tif 000002
【特許請求の範囲】
【請求項１】
樹脂成形されたキャビネットと、フラットディスプレイパネルとしてのプラズマディスプレイパネルと、フィルタとを組付けて成るプラズマテレビにおいて、
前記プラズマディスプレイパネルは３７インチ以上のサイズであって、
前記プラズマテレビは、前記プラズマディスプレイパネルが取り付けられるパネルホルダと、当該パネルホルダに前記フィルタを挟持するフィルタホルダとを備え、
前記パネルホルダは、取り付けられる前記プラズマディスプレイパネルのビューエリア上下端に各々対応する一対の第１のパネルホルダと、前記プラズマディスプレイパネルのビューエリア左右端に各々対応し、前記第１のパネルホルダよりも短い一対の第２のパネルホルダとの計４つから成る一方、
前記フィルタホルダは、挟持する前記フィルタのビューエリア上下端に各々対応する一対の第１のフィルタホルダと、挟持する前記フィルタのビューエリア左右端に各々対応し、前記第１のフィルタホルダよりも短い一対の第２のフィルタホルダとの計４つから成り、
前記第１のパネルホルダは、その横断面形状が、前記フィルタのビューエリア上下端に各々対応する両辺端部の下面を載置する第１の段部と、当該第１の段部に載置された前記フィルタの両辺端部の上面に、ガスケットを介して前記第１のフィルタホルダが有する下段部に設けられた凸部が載置された時に、当該下段部の基端が載置されるように前記第１の段部の上段に階段状に設けられた第２の段部と、同じく当該第１の段部に載置された前記フィルタの両辺端部の上面に、ガスケットを介して前記第１のフィルタホルダが有する下段部に設けられた凸部が載置された時に、第１のフィルタホルダが有する上段部が載置されると共にネジ締結されるネジ穴を所定の４箇所に有し前記第２の段部の上段に階段状に設けられた第３の段部と、前記プラズマディスプレイパネルの背面に設けられたブラケット端部を載置するために前記第３の段部の上段に略コ字状に設けられ、ネジ締結されるネジ穴を有する第４の段部とを有すると共に、前記第２の段部と前記第３の段部間の側面の所定箇所には前記第１のフィルタホルダが有する突起が嵌入し位置決めされる嵌入穴が設けられ、更に前記第３の段部と前記第４の段部間の側面の所定箇所にはキャビネットのビューエリア上端側に対応する位置の所定箇所に設けられる凸部に係止可能な係止穴が設けられて成る直線状フレームである一方、
前記第２のパネルホルダは、その横断面形状が、前記フィルタのビューエリア左右端に各々対応する両辺端部の下面を載置する第１の段部と、当該第１の段部に載置された前記フィルタの両辺端部の上面に、ガスケットを介して前記第２のフィルタホルダが有する凸部が載置された時に、当該第２のフィルタホルダの端部が載置されると共にネジ締結されるネジ穴を所定の３箇所に有し前記第１の段部の上段に階段状に設けられた第２の段部とを有する直線状フレームであり、
前記第１のフィルタホルダは、その横断面形状が、前記第１のパネルホルダの前記第１の段部に載置された前記フィルタ上にガスケットを介して載置した際、当該ガスケットに当接する凸部を有すると共にその基端が前記第１のパネルホルダの前記第２の段部に載置される下段部と、前記第１のパネルホルダの前記第３の段部に載置されると共にネジ締結されるネジ挿入穴を所定の４箇所に有し、前記下段部の上段に階段状に設けられた上段部とを有すると共に、前記下段部と前記上段部間の側面の所定箇所には前記第１のパネルホルダが有する嵌入穴に嵌入し位置決めされる突起が設けられて成る直線状フレームである一方、
前記第２のフィルタホルダは、その横断面形状が、前記第２のパネルホルダの前記第１の段部に載置された前記フィルタ上にガスケットを介して載置した際、当該ガスケットに当接する凸部を有すると共に、ネジ締結されるネジ挿入穴を所定の３箇所に有し、前記第２のパネルホルダの前記第２の段部に載置される端部を有する直線状フレームであり、
前記キャビネットと、前記プラズマディスプレイパネルと、前記フィルタとを組付ける場合には、組付け開口が上方となるように本ライン上に置いた略額縁状のキャビネットの当該組付け開口内のビューエリア上下端、及び左右端に対応する４辺に、上方より一対の前記第１のパネルホルダ、及び一対の前記第２のパネルホルダを各々、前記第１の段部、前記第２の段部、及び前記第３の段部がキャビネット内方側に位置するように載置すると共に、一対の当該第１のパネルホルダの内のビューエリア上方に位置する側の前記係止穴を、キャビネットに設けられた前記凸部に挿入係止し、
次いで前記フィルタを、前記第１のパネルホルダ及び前記第２のパネルホルダの各前記第１の段部上に上方より載置し、更に、フィルタの第１の段部への当該載置部分上方にガスケットを介して前記凸部が当接するように前記第１のフィルタホルダ及び前記第２のフィルタホルダを、前記第１のパネルホルダ及び前記第２のパネルホルダと各々組みとなるように載置すると共に、前記第１のフィルタホルダについては前記突起を前記第１のパネルホルダの前記嵌入穴に嵌入して位置決めし、前記第１のフィルタホルダの上段部に設けられた前記ネジ挿入穴及び、前記第２のフィルタホルダの端部に設けられた前記ネジ挿入穴に各々ネジを上方より挿入し、各々に対応する前記第１のパネルホルダの第３の段部に設けられたネジ穴及び、前記第２のパネルホルダの第２の段部に設けられたネジ穴に各々締結することで、前記フィルタの載置された端部を前記第１のパネルホルダ及び前記第２のパネルホルダの各第１の段部と、前記第１のフィルタホルダ及び前記第２のフィルタホルダの各凸部間で、前記ガスケットを介して挟持固定し、
続いて、前記プラズマディスプレイパネルをその背面に設けられた前記ブラケットが前記第１のパネルホルダの第４の段部に当接するように上方より載置し、当該ブラケットに設けられたネジ挿入孔を介して第４の段部に設けられた前記ネジ穴を上方よりネジ締結することで、
前記キャビネットを本ライン上に載置した状態で、上方から前記プラズマディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、プラズマディスプレイパネルとフィルタ間に要したスペーサを不要化ならしめ、
更に、プラズマテレビの後のキャビネット脱着作業時における、ビューエリア上方に位置する側の第１のパネルホルダに設けられた前記係止穴の、キャビネットに設けられた前記凸部への挿入係止により、キャビネット脱落を抑制ならしめることを特徴とする、プラズマテレビ。
【請求項２】
樹脂成形されたキャビネットと、フラットディスプレイパネルと、フィルタとを組付ける組付け構造において、
前記組付け構造は、前記フラットディスプレイパネルが取り付けられるパネルホルダと、当該パネルホルダに前記フィルタを挟持するフィルタホルダとを備え、
前記キャビネットと、前記プラズマディスプレイパネルと、前記フィルタを組付ける場合には、組付け開口が上方となるように置いたキャビネットの当該組付け開口内に上方より、前記パネルホルダ、前記フィルタ、前記フィルタホルダを順に重ね、パネルホルダとフィルタホルダ間を上方より締結して前記フィルタを挟持固定した後、前記フラットディスプレイパネルを上方より重ねて前記パネルホルダに上方より締結して固定することを特徴とする、組付け構造。
【請求項３】
樹脂成形されたキャビネットと、フラットディスプレイパネルと、フィルタとを組付ける組付け構造において、
前記パネルホルダ及び前記フィルタホルダは各一つずつで組となり、取り付けられる前記フラットディスプレイパネルのビューエリア上下左右端に各々対応する計４組を備え、
前記パネルホルダは、その横断面形状が、前記フィルタの４辺端部の下面を載置する段部を有する直線状フレームである一方、前記フィルタホルダはパネルホルダの前記段部に載置されたフィルタにガスケットを介して当接する凸部を有する直線状フレームであり、
前記キャビネットと、前記プラズマディスプレイパネルと、前記フィルタとを組付ける場合には、組付け開口が上方となるように置いた略額縁状のキャビネットの当該組付け開口内のビューエリア上下端、及び左右端に対応する４辺端部に上方より、４つの前記パネルホルダを前記段部がキャビネット内方側に位置するように各々載置し、当該パネルホルダの各段部に上方より、前記フィルタの４辺端部を各々載置し、当該フィルタの４辺端部上面にガスケットを介して組となる４つの前記フィルタホルダをその凸部が当接するように載置し、各組の前記パネルホルダと前記フィルタホルダ間を上方より締結して前記フィルタを挟持固定した後、前記フラットディスプレイパネルを上方より重ねて前記パネルホルダに上方より締結して固定することを特徴とする、請求項２に記載の組付け構造。
【請求項４】
樹脂成形されたキャビネットと、フラットディスプレイパネルと、フィルタとを組付ける組付け構造において、
前記フラットディスプレイパネルは３７インチ以上のサイズのプラズマディスプレイパネルであって、
前記パネルホルダは、取り付けられる前記プラズマディスプレイパネルのビューエリア上下端に各々対応する一対の第１のパネルホルダと、前記プラズマディスプレイパネルのビューエリア左右端に各々対応し、前記第１のパネルホルダよりも短い一対の第２のパネルホルダとの計４つから成る一方、
前記フィルタホルダは、挟持する前記フィルタのビューエリア上下端に各々対応する一対の第１のフィルタホルダと、挟持する前記フィルタのビューエリア左右端に各々対応し、前記第１のフィルタホルダよりも短い一対の第２のフィルタホルダとの計４つから成り、
前記第１のパネルホルダは、その横断面形状が、前記フィルタのビューエリア上下端に各々対応する両辺端部の下面を載置する第１の段部と、当該第１の段部に載置された前記フィルタの両辺端部の上面に、ガスケットを介して前記第１のフィルタホルダが有する下段部に設けられた凸部が載置された時に、当該下段部の基端が載置されるように前記第１の段部の上段に階段状に設けられた第２の段部と、同じく当該第１の段部に載置された前記フィルタの両辺端部の上面に、ガスケットを介して前記第１のフィルタホルダが有する下段部に設けられた凸部が載置された時に、第１のフィルタホルダが有する上段部が載置されると共にネジ締結されるネジ穴を所定の４箇所に有し前記第２の段部の上段に階段状に設けられた第３の段部と、前記プラズマディスプレイパネルの背面に設けられたブラケット端部を載置するために前記第３の段部の上段に略コ字状に設けられ、ネジ締結されるネジ穴を有する第４の段部とを有すると共に、前記第２の段部と前記第３の段部間の側面の所定箇所には前記第１のフィルタホルダが有する突起が嵌入し位置決めされる嵌入穴が設けられた直線状フレームである一方、
前記第２のパネルホルダは、その横断面形状が、前記フィルタのビューエリア左右端に各々対応する両辺端部の下面を載置する第１の段部と、当該第１の段部に載置された前記フィルタの両辺端部の上面に、ガスケットを介して前記第２のフィルタホルダが有する凸部が載置された時に、当該第２のフィルタホルダの端部が載置されると共にネジ締結されるネジ穴を所定の３箇所に有し前記第１の段部の上段に階段状に設けられた第２の段部とを有する直線状フレームであり、
前記第１のフィルタホルダは、その横断面形状が、前記第１のパネルホルダの前記第１の段部に載置された前記フィルタ上にガスケットを介して載置した際、当該ガスケットに当接する凸部を有すると共にその基端が前記第１のパネルホルダの前記第２の段部に載置される下段部と、前記第１のパネルホルダの前記第３の段部に載置されると共にネジ締結されるネジ挿入穴を所定の４箇所に有し、前記下段部の上段に階段状に設けられた上段部とを有すると共に、前記下段部と前記上段部間の側面の所定箇所には前記第１のパネルホルダが有する嵌入穴に嵌入し位置決めされる突起が設けられて成る直線状フレームである一方、
前記第２のフィルタホルダは、その横断面形状が、前記第２のパネルホルダの前記第１の段部に載置された前記フィルタ上にガスケットを介して載置した際、当該ガスケットに当接する凸部を有すると共に、ネジ締結されるネジ挿入穴を所定の３箇所に有し、前記第２のパネルホルダの前記第２の段部に載置される端部を有する直線状フレームであり、
前記キャビネットと、前記プラズマディスプレイパネルと、前記フィルタとを組付ける場合には、組付け開口が上方となるように本ライン上に置いた略額縁状のキャビネットの当該組付け開口内のビューエリア上下端、及び左右端に対応する４辺に、上方より一対の前記第１のパネルホルダ、及び一対の前記第２のパネルホルダを各々、前記第１の段部、前記第２の段部、及び前記第３の段部がキャビネット内方側に位置するように載置し、
次いで前記フィルタを、前記第１のパネルホルダ及び前記第２のパネルホルダの各前記第１の段部上に上方より載置し、更に、フィルタの第１の段部への当該載置部分上方にガスケットを介して前記凸部が当接するように前記第１のフィルタホルダ及び前記第２のフィルタホルダを、前記第１のパネルホルダ及び前記第２のパネルホルダと各々組みとなるように載置すると共に、前記第１のフィルタホルダについては前記突起を前記第１のパネルホルダの前記嵌入穴に嵌入して位置決めし、前記第１のフィルタホルダの上段部に設けられた前記ネジ挿入穴及び、前記第２のフィルタホルダの端部に設けられた前記ネジ挿入穴に各々ネジを上方より挿入し、各々に対応する前記第１のパネルホルダの第３の段部に設けられたネジ穴及び、前記第２のパネルホルダの第２の段部に設けられたネジ穴に各々締結することで、前記フィルタの載置された端部を前記第１のパネルホルダ及び前記第２のパネルホルダの各第１の段部と、前記第１のフィルタホルダ及び前記第２のフィルタホルダの各凸部間で、前記ガスケットを介して挟持固定し、
続いて、前記プラズマディスプレイパネルをその背面に設けられた前記ブラケットが前記第１のパネルホルダの第４の段部に当接するように上方より載置し、当該ブラケットに設けられたネジ挿入孔を介して第４の段部に設けられた前記ネジ穴を上方よりネジ締結することで、
前記キャビネットを本ライン上に載置した状態で、上方から前記プラズマディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、プラズマディスプレイパネルとフィルタ間に要したスペーサを不要化ならしめることを特徴とする、請求項３に記載の組付け構造。
【請求項５】
樹脂成形されたキャビネットと、フラットディスプレイパネルとしてのプラズマディスプレイパネルと、フィルタとを組付ける組付け構造において、
前記第１のパネルホルダは、前記第３の段部と前記第４の段部間の側面の所定箇所にキャビネットのビューエリア上端側に対応する位置の所定箇所に設けられる凸部に係止可能な係止穴が設けられて成り、
前記キャビネットと、前記プラズマディスプレイパネルと、前記フィルタとを組付ける場合に、一対の当該第１のパネルホルダの内のビューエリア上方に位置する側の前記係止穴を、キャビネットに設けられた前記凸部に挿入係止し、
プラズマテレビの後のキャビネット脱着作業時における、キャビネット脱落を抑制ならしめることを特徴とする、請求項４に記載の組付け構造。
【請求項６】
樹脂成形されたキャビネットと、フラットディスプレイパネルと、フィルタとを組付ける組付け方法において、
前記キャビネットと、前記フラットディスプレイパネルと、前記フィルタとを組付ける場合には、組付け開口が上方となるように置いたキャビネットの当該組付け開口内に上方より、前記フラットディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記フィルタを挟持固定した後、前記フラットディスプレイパネルを上方より重ねて前記パネルホルダに上方より締結して固定することを特徴とする、組付け方法。
【発明の詳細な説明】
【技術分野】
【０００１】
本発明は、樹脂成形されたキャビネットと、フラットディスプレイパネルと、フィルタとを組付ける組付け構造、組付け方法、及び当該組付け構造により組みつけられたプラズマテレビに関する。
【背景技術】
【０００２】
放送された映像をディスプレイに表示させ、視聴するテレビは、娯楽番組、映画、或いはニュースなどを視聴する基幹メディアとして、一般家庭に広く普及して久しい。そして、生活水準の向上と共に、画面の大型化が進んでいる。しかし、従来より長らく主流となっている、ブラウン管を用いたテレビは、その構造上、奥行き寸法、重量、或いは消費電力といった点で問題を抱え、画面の大型化に限界が来つつあった。
【０００３】
一方、近年になって、電子、半導体、或いは材料技術等の向上により、プラズマディスプレイや液晶ディスプレイといった、ブラウン管とは全く異なる新たな表示デバイスが開発されている。こうした表示デバイスは、従来のブラウン管と比較すると薄型であることから、一般にフラットディスプレイパネルと総称されることが多い。
【０００４】
フラットディスプレイパネルは、テレビ用途向けでは、技術開発の伸展や量産効果と共に低コスト化と大型化が可能となり、ＴＶ放送のデジタル化に伴う買い替え需要や日本の狭い住宅事情とも合致して、従来のブラウン管方式にとって替わり、市場が大きく拡大している。
【０００５】
ところで、上述のフラットディスプレイパネルを用いたテレビを製造する場合は、パネルメーカーが供給する汎用のパネルアッシーを組付け、独自の制御処理技術等を付加して行う場合がある。こうした汎用のパネルアッシーの組付けは、通常、当該パネルアッシーと、フィルタと、樹脂成形されたキャビネットとを組付けて成されるのが一般的である。
【０００６】
図５に、フラットディスプレイパネルがプラズマディスプレイパネルである場合の、従来の組付け構造を示す。同図において、プラズマディスプレイパネル１は立設させた状態の略額縁状であるパネルホルダ２の背面側からスペーサ３を４つ角に介して装着され、当該パネルホルダ２の側面からネジ止め固定される。尚、前記スペーサ３は後述するフィルタ４に対して所定距離を離間した状態で相対させるためのものである。
【０００７】
一方、前記パネルホルダ２の正面側からは、フィルタ４がガスケット５を介して装着され、当該フィルタ４の上下左右４辺を断面形状がクランク状の段差を有する直線状フレームである４つのフィルタホルダ６で係止されて、正面側からネジ固定される。そして、このように前記プラズマディスプレイパネル１及び前記フィルタ４が装着された前記パネルホルダ２に、正面側から略額縁状のキャビネット７、及び当該キャビネット７とビューエリア外周間の隙間をカバーするベゼル８が装着され、前記パネルホルダ２の背面側からネジで固定される。
【０００８】
従って、上述したようなプラズマディスプレイパネル１の組付けにおいては、パネルホルダ２、プラズマディスプレイパネル１、フィルタ４、及びキャビネット７は、何れも立設させた状態で作業する必要があり、各部品をライン上に配置して効率良く流れ作業が行われる本工程に組み込むことができず、本工程とは独立したサブライン工程での別作業を行わざるを得なかった。こうしたサブライン工程での上述した組付け作業は、特に、前記プラズマディスプレイパネル１が３７インチ以上の大型のサイズである場合には、作業性が悪化し、工数が増大することとなっていた。
【０００９】
又、前記パネルホルダ２に対して装着する前記プラズマディスプレイパネル１、前記フィルタ４、或いは前記キャビネット７の固定は、背面側、側面側、或いは正面側からといった多方向から非常に多くのネジ止めを行う必要があり、作業性が悪い上、ネジ点数が増大していた。更に、前記プラズマディスプレイパネル１と前記フィルタ４間を所定距離に保つためにスペーサ３を必要としており、コストアップに繋がっていた。
【００１０】
一方、フラットディスプレイパネルの組付けを容易にするために、以下のような従来技術が開示されている。
【００１１】
即ち、特開２００２−４０４２４号公報（特許文献１）では、内部に収納空間が形成されたモールドフレーム内部両端に、アセンブリを対向設置すると共に、当該アセンブリ間に反射板、導光板、拡散シート類を順次積層し、積層型バックライトアセンブリユニットを形成している。この構成によれば、最下部に位置する構成要素から最上部に位置する構成要素を順次積層しながら組み立てられるので、組立てを容易にすることができる。
【００１２】
特開平１０−１３７６５号公報（特許文献２）では、ＰＤＰユニットの背面に取付フレーム４の背面部４ａを固着する。そして、当該取付フレーム４の左右の２辺を前方に折り曲げて側面部とし、その前方をＰＤＰユニットの前面と平行に折り曲げて、前面枠にネジ止めする。この構成によれば、ＰＤＰからの加重を取付フレーム全体に分散するとともに、取付のための部品点数を少なくし組立、分解を容易とすることができる。
【００１３】
特開平１０−２８８７７２号公報（特許文献３）では、複数の係止爪を有し、かつ上部に液晶表示器及び拡散シートを重ねた状態で装着が可能な液晶ホルダの前記係止爪を、プリント基板に複数形成された係止孔に挿入するようにしている。この構成によれば、液晶押えなどを必要とせずにプリント基板に液晶表示器が取付けられるため、組立て作業が容易になると共に、部品点数の削減も図れるようになる。
【００１４】
特開平９−１２７８８１号公報（特許文献４）では、フィルター部の周囲に段差部を形成すると共に、前記開口部側周囲に弾性を有する係止爪を設けた箱型の固定用ホルダを透明樹脂により形成して、この固定用ホルダをＬＣＤ及びバックライトユニットを覆うようにプリント基板上に配置し、前記係止爪係止爪をプリント基板に係止させると共に、前記段差部内面でＬＣＤの周縁部を押さえつけて固定している。この構成によれば、ＬＣＤ保護用のフィルタや、塵埃防止部材を省略し、部品点数や組み立て工数を削減して、コストダウンを図れる。
【特許文献１】特開２００２−４０４２４号公報
【特許文献２】特開平１０−１３７６５号公報
【特許文献３】特開平１０−２８８７７２号公報
【特許文献４】特開平９−１２７８８１号公報
【発明の開示】
【発明が解決しようとする課題】
【００１５】
前記特許文献１の構成では、モールドフレーム内部に底面から順次反射板，導光板及び複数枚の拡散シート類が積層され、さらにその上に液晶表示パネルアセンブリ及びシャーシが積層されている。こうした各部材を積層する組付けによれば、確かに作業は容易に行え、ライン上に流すことも可能である。しかしながら、これら積層された各部材の内、モールドフレーム内部の部材については、固定フレームを両側上方から被せ、当該固定フレームの側面に設けられた貫通ホールと、モールドフレーム側面に設けられた結合突起とを係合させることで、固定している。このような構造の固定方法は、上述した本願における大型で重量のかさむプラズマディスプレイパネル、及びフィルタの組付けにおいては採用することができない。勿論、こうした係合による固定をネジ固定に置き換えることも可能ではあるが、その場合、ネジ止め方向は側方からとなるため、作業性が悪い。その上、プラズマディスプレイパネルとフィルタ間は一定距離を離間させる必要があるため、直接両者を積層することはできず、スペーサを介在させる必要があり、コストアップにつながる。
【００１６】
又、前記引用文献１において、固定フレームの上に積層される液晶表示パネルアセンブリ及びシャーシはその固定方法が明記されてはおらず、上述した本願におけるキャビネット、プラズマディスプレイパネル、及びフィルタの組付けにおける問題を解決することができない。
【００１７】
前記特許文献２の構成では、ＰＤＰからの加重を取付フレーム全体に分散するとともに、取付のための部品点数を少なくするために、ＰＤＰユニットの背面に取付フレームを曲げ加工により一体的とするものであって目的が異なり、上述した本願における、プラズマディスプレイパネルとフィルタ間を一定距離に離間させた状態でキャビネットと併せた組付けにおける問題を解決できるものではない。
【００１８】
前記特許文献３の構成では、係止爪で、プリント基板に対し小型軽量な液晶表示器及び拡散シートを固定するようにしているが、上述した本願における大型で重量のかさむプラズマディスプレイパネル、及びフィルタの組付けにおいては採用することができない。又、液晶表示器及び拡散シートを直接重ねているだけであるので、本願における、プラズマディスプレイパネルとフィルタ間を一定距離に離間させる必要のある構成にも採用できない。
【００１９】
前記特許文献４の構成では、フィルタ自体を段付き形状にして固定用ホルダとしており、本願におけるフィルタにこのような構造を採用することはできない。又、フィルタ自体ではなく、専用のホルダをこのような形状に採用したとしても、係止爪による固定方法は、上述した本願における大型で重量のかさむプラズマディスプレイパネル、及びフィルタの組付けにおいては採用することができない。又、当該固定用ホルダ内に重ねられるＬＣＤ及びバックライトユニットは直接重ねているだけであるので、本願における、プラズマディスプレイパネルとフィルタ間を一定距離に離間させる必要のある構成にも採用できない。
【００２０】
本発明は、上記問題にかんがみてなされたもので、樹脂成形されたキャビネットと、フラットディスプレイパネルと、フィルタとを組付ける際、従来必要であったサブライン工程での組付け作業を不要化して本工程ラインでの容易な組付けを可能とし、作業性を向上させて工数の低減を図ると同時に、フラットディスプレイパネルとフィルタ間のスペーサの不要化、ネジ締め工数の低減、及びネジ点数の低減を図ることで、低コストな組付け構造、組付け方法、及び当該組付け構造により組みつけられたプラズマテレビを提供することを目的とする。
【課題を解決するための手段】
【００２１】
上記問題を解決する為に請求項１に記載の発明は、樹脂成形されたキャビネットと、フラットディスプレイパネルとしてのプラズマディスプレイパネルと、フィルタとを組付けて成るプラズマテレビにおいて、前記プラズマディスプレイパネルは３７インチ以上のサイズであって、前記プラズマテレビは、前記プラズマディスプレイパネルが取り付けられるパネルホルダと、当該パネルホルダに前記フィルタを挟持するフィルタホルダとを備え、前記パネルホルダは、取り付けられる前記プラズマディスプレイパネルのビューエリア上下端に各々対応する一対の第１のパネルホルダと、前記プラズマディスプレイパネルのビューエリア左右端に各々対応し、前記第１のパネルホルダよりも短い一対の第２のパネルホルダとの計４つから成る一方、前記フィルタホルダは、挟持する前記フィルタのビューエリア上下端に各々対応する一対の第１のフィルタホルダと、挟持する前記フィルタのビューエリア左右端に各々対応し、前記第１のフィルタホルダよりも短い一対の第２のフィルタホルダとの計４つから成り、前記第１のパネルホルダは、その横断面形状が、前記フィルタのビューエリア上下端に各々対応する両辺端部の下面を載置する第１の段部と、当該第１の段部に載置された前記フィルタの両辺端部の上面に、ガスケットを介して前記第１のフィルタホルダが有する下段部に設けられた凸部が載置された時に、当該下段部の基端が載置されるように前記第１の段部の上段に階段状に設けられた第２の段部と、同じく当該第１の段部に載置された前記フィルタの両辺端部の上面に、ガスケットを介して前記第１のフィルタホルダが有する下段部に設けられた凸部が載置された時に、第１のフィルタホルダが有する上段部が載置されると共にネジ締結されるネジ穴を所定の４箇所に有し前記第２の段部の上段に階段状に設けられた第３の段部と、前記プラズマディスプレイパネルの背面に設けられたブラケット端部を載置するために前記第３の段部の上段に略コ字状に設けられ、ネジ締結されるネジ穴を有する第４の段部とを有すると共に、前記第２の段部と前記第３の段部間の側面の所定箇所には前記第１のフィルタホルダが有する突起が嵌入し位置決めされる嵌入穴が設けられ、更に前記第３の段部と前記第４の段部間の側面の所定箇所にはキャビネットのビューエリア上端側に対応する位置の所定箇所に設けられる凸部に係止可能な係止穴が設けられて成る直線状フレームである一方、前記第２のパネルホルダは、その横断面形状が、前記フィルタのビューエリア左右端に各々対応する両辺端部の下面を載置する第１の段部と、当該第１の段部に載置された前記フィルタの両辺端部の上面に、ガスケットを介して前記第２のフィルタホルダが有する凸部が載置された時に、当該第２のフィルタホルダの端部が載置されると共にネジ締結されるネジ穴を所定の３箇所に有し前記第１の段部の上段に階段状に設けられた第２の段部とを有する直線状フレームであり、前記第１のフィルタホルダは、その横断面形状が、前記第１のパネルホルダの前記第１の段部に載置された前記フィルタ上にガスケットを介して載置した際、当該ガスケットに当接する凸部を有すると共にその基端が前記第１のパネルホルダの前記第２の段部に載置される下段部と、前記第１のパネルホルダの前記第３の段部に載置されると共にネジ締結されるネジ挿入穴を所定の４箇所に有し、前記下段部の上段に階段状に設けられた上段部とを有すると共に、前記下段部と前記上段部間の側面の所定箇所には前記第１のパネルホルダが有する嵌入穴に嵌入し位置決めされる突起が設けられて成る直線状フレームである一方、前記第２のフィルタホルダは、その横断面形状が、前記第２のパネルホルダの前記第１の段部に載置された前記フィルタ上にガスケットを介して載置した際、当該ガスケットに当接する凸部を有すると共に、ネジ締結されるネジ挿入穴を所定の３箇所に有し、前記第２のパネルホルダの前記第２の段部に載置される端部を有する直線状フレームであり、前記キャビネットと、前記プラズマディスプレイパネルと、前記フィルタとを組付ける場合には、組付け開口が上方となるように本ライン上に置いた略額縁状のキャビネットの当該組付け開口内のビューエリア上下端、及び左右端に対応する４辺に、上方より一対の前記第１のパネルホルダ、及び一対の前記第２のパネルホルダを各々、前記第１の段部、前記第２の段部、及び前記第３の段部がキャビネット内方側に位置するように載置すると共に、一対の当該第１のパネルホルダの内のビューエリア上方に位置する側の前記係止穴を、キャビネットに設けられた前記凸部に挿入係止し、次いで前記フィルタを、前記第１のパネルホルダ及び前記第２のパネルホルダの各前記第１の段部上に上方より載置し、更に、フィルタの第１の段部への当該載置部分上方にガスケットを介して前記凸部が当接するように前記第１のフィルタホルダ及び前記第２のフィルタホルダを、前記第１のパネルホルダ及び前記第２のパネルホルダと各々組みとなるように載置すると共に、前記第１のフィルタホルダについては前記突起を前記第１のパネルホルダの前記嵌入穴に嵌入して位置決めし、前記第１のフィルタホルダの上段部に設けられた前記ネジ挿入穴及び、前記第２のフィルタホルダの端部に設けられた前記ネジ挿入穴に各々ネジを上方より挿入し、各々に対応する前記第１のパネルホルダの第３の段部に設けられたネジ穴及び、前記第２のパネルホルダの第２の段部に設けられたネジ穴に各々締結することで、前記フィルタの載置された端部を前記第１のパネルホルダ及び前記第２のパネルホルダの各第１の段部と、前記第１のフィルタホルダ及び前記第２のフィルタホルダの各凸部間で、前記ガスケットを介して挟持固定し、続いて、前記プラズマディスプレイパネルをその背面に設けられた前記ブラケットが前記第１のパネルホルダの第４の段部に当接するように上方より載置し、当該ブラケットに設けられたネジ挿入孔を介して第４の段部に設けられた前記ネジ穴を上方よりネジ締結することで、前記キャビネットを本ライン上に載置した状態で、上方から前記プラズマディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、プラズマディスプレイパネルとフィルタ間に要したスペーサを不要化ならしめ、更に、プラズマテレビの後のキャビネット脱着作業時における、ビューエリア上方に位置する側の第１のパネルホルダに設けられた前記係止穴の、キャビネットに設けられた前記凸部への挿入係止により、キャビネット脱落を抑制ならしめる構成としている。
【００２２】
上記のように構成した請求項１に記載の発明によれば、前記キャビネットを前記プラズマディスプレイパネル、及び前記フィルタに組付ける場合には、組付け開口が上方となるように置いたキャビネットの当該組付け開口内に上方より、前記プラズマディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記パネルホルダの第１の段部と前記フィルタホルダの凸部とで前記フィルタの端部を挟持固定した後、前記プラズマディスプレイパネルを上方より重ねて前記パネルホルダに上方より締結して固定する。
【００２３】
請求項２に記載の発明は、樹脂成形されたキャビネットと、フラットディスプレイパネルと、フィルタとを組付ける組付け構造において、前記組付け構造は、前記フラットディスプレイパネルが取り付けられるパネルホルダと、当該パネルホルダに前記フィルタを挟持するフィルタホルダとを備え、前記キャビネットと、前記プラズマディスプレイパネルと、前記フィルタを組付ける場合には、組付け開口が上方となるように置いたキャビネットの当該組付け開口内に上方より、前記パネルホルダ、前記フィルタ、前記フィルタホルダを順に重ね、パネルホルダとフィルタホルダ間を上方より締結して前記フィルタを挟持固定した後、前記フラットディスプレイパネルを上方より重ねて前記パネルホルダに上方より締結して固定する構成としている。
【００２４】
上記のように構成した請求項２に記載の発明によれば、前記キャビネットと、前記フラットディスプレイパネルと、前記フィルタとを組付ける場合には、組付け開口が上方となるように置いたキャビネットの当該組付け開口内に上方より、前記フラットディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記フィルタの端部を挟持固定した後、前記フラットディスプレイパネルを上方より重ねて前記パネルホルダに上方より締結して固定する。
【発明の効果】
【００２５】
請求項１に記載の発明によれば、前記キャビネットを前記プラズマディスプレイパネル、及び前記フィルタに組付ける場合には、組付け開口が上方となるように置いたキャビネットの当該組付け開口内に上方より、前記プラズマディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記パネルホルダの第１の段部と前記フィルタホルダの凸部とで前記フィルタの端部を挟持固定した後、前記プラズマディスプレイパネルを上方より重ねて前記パネルホルダに上方より締結して固定する。
【００２６】
よって、前記キャビネットを本ライン上に載置した状態で、上方から前記プラズマディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、プラズマディスプレイパネルとフィルタ間に要したスペーサを不要化ならしめる。
【００２７】
更に、プラズマテレビの後のキャビネット脱着作業時における、ビューエリア上方に位置する側の第１のパネルホルダに設けられた前記係止穴の、キャビネットに設けられた前記凸部への挿入係止により、キャビネット脱落を抑制ならしめる。
【００２８】
請求項２に記載の発明によれば、前記キャビネットと、前記フラットディスプレイパネルと、前記フィルタとを組付ける場合には、組付け開口が上方となるように置いたキャビネットの当該組付け開口内に上方より、前記フラットディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記フィルタの端部を挟持固定した後、前記フラットディスプレイパネルを上方より重ねて前記パネルホルダに上方より締結して固定する。
【００２９】
よって、前記キャビネットを本ライン上に載置した状態で、上方から前記プラズマディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、プラズマディスプレイパネルとフィルタ間に要したスペーサを不要化ならしめる。
【００３０】
請求項３に記載の発明によれば、前記キャビネットを前記フラットディスプレイパネル、及び前記フィルタに組付ける場合には、組付け開口が上方となるように置いたキャビネットの当該組付け開口内に上方より、前記フラットディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記パネルホルダの段部と前記フィルタホルダの凸部とで前記フィルタの端部を挟持固定した後、前記フラットディスプレイパネルを上方より重ねて前記パネルホルダに上方より締結して固定する。
【００３１】
よって、前記キャビネットを本ライン上に載置した状態で、上方から前記フラットディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、フラットディスプレイパネルとフィルタ間に要したスペーサを不要化ならしめる。
【００３２】
請求項４に記載の発明によれば、前記キャビネットを前記プラズマディスプレイパネル、及び前記フィルタに組付ける場合には、組付け開口が上方となるように置いたキャビネットの当該組付け開口内に上方より、前記プラズマディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記パネルホルダの第１の段部と前記フィルタホルダの凸部とで前記フィルタの端部を挟持固定した後、前記プラズマディスプレイパネルを上方より重ねて前記パネルホルダに上方より締結して固定する。
【００３３】
よって、前記キャビネットを本ライン上に載置した状態で、上方から前記プラズマディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、プラズマディスプレイパネルとフィルタ間に要したスペーサを不要化ならしめる。
【００３４】
請求項５に記載の発明によれば、上記請求項４に記載の効果に加え、プラズマテレビの後のキャビネット脱着作業時における、ビューエリア上方に位置する側の第１のパネルホルダに設けられた前記係止穴の、キャビネットに設けられた前記凸部への挿入係止により、キャビネット脱落を抑制ならしめる。
【００３５】
請求項６に記載の発明によれば、請求項２と同様の効果が得られる組付け方法が提供できる。
【発明を実施するための最良の形態】
【００３６】
以下、本発明を具体化した実施例について説明する。
【実施例１】
【００３７】
図１には、本実施例におけるフラットディスプレイパネルとしてのプラズマディスプレイパネルを用いたプラズマテレビの概略構成を説明するブロック図を示す。
【００３８】
同図において、プラズマテレビ１１は、本体の動作を制御するコントローラ１１ｂと、図示していないアンテナで受信されるテレビ放送信号から選択されているチャンネルのテレビ放送信号を抽出し、出力するチューナ１１ｄと、該チューナ１１ｄが出力したテレビ放送信号に基く映像をプラズマディスプレイパネル１１ｅに表示する映像処理部１１ｆと、該チューナ１１ｄが出力したテレビ放送信号に基く音声をスピーカ１１ｇから出力する音声処理部１１ｈと、リモコン１１ｃから送信されてきた制御コマンドを受信するリモコン受信部１１ａとを備えている。 
【００３９】
前記コントローラ１１ｂは、リモコン受信部１１ａで受信した制御コマンドに応じて、電源のオン／オフ、チャンネルの切換、音量のアップ／ダウン等を制御する。尚、プラズマテレビ１１の各部には、図示していない電源回路から動作電源が供給されている。この電源回路の入力は、商用電源（例えば、ＡＣ１００Ｖ）である。
【００４０】
前記プラズマディスプレイパネル１１ｅは、本実施例では例えば３７インチ以上の大型のサイズの汎用プラズマディスプレイパネルアッシーとして、パネルメーカーより供給される。当該プラズマディスプレイパネル１１ｅには、本工程ライン上で、そのフロント側にフィルタ、及びキャビネットが組み付けられて、プラズマテレビ１１が製造される。
【００４１】
図２に、前記プラズマテレビ１１における前記キャビネット１２、前記プラズマディスプレイパネル１１ｅ、及び前記フィルタ１３を組付ける際の構成部品を斜視図で示す。
【００４２】
同図に示す通り、本実施例においては、前記キャビネット１２、前記プラズマディスプレイパネル１１ｅ、及び前記フィルタ１３の組付けに際しては、前記プラズマディスプレイパネル１１ｅが取り付けられるパネルホルダ１４と、当該パネルホルダ１４に前記フィルタ１３を挟持するフィルタホルダ１５とを併せて用いる。
【００４３】
前記パネルホルダ１４は、取り付けられる前記プラズマディスプレイパネル１１ｅのビューエリア上下端に各々対応する一対の第１のパネルホルダ１４ａ，１４ｂと、前記プラズマディスプレイパネル１１ｅのビューエリア左右端に各々対応し、前記第１のパネルホルダ１４ａ，１４ｂよりも短い一対の第２のパネルホルダ１４ｃ，１４ｄとの計４つから成る。
【００４４】
一方、前記フィルタホルダ１５は、挟持する前記フィルタ１３のビューエリア上下端に各々対応する一対の第１のフィルタホルダ１５ａ，１５ｂと、挟持する前記フィルタ１３のビューエリア左右端に各々対応し、前記第１のフィルタホルダ１５ａ，１５ｂよりも短い一対の第２のフィルタホルダ１５ｃ，１５ｄとの計４つから成る。
【００４５】
前記第１のパネルホルダ１４ａ，１４ｂは、図３に示すように、その横断面形状が、前記フィルタ１３のビューエリア上下端に各々対応する両辺端部の下面を載置する段部としての第１の段部１４ｅと、当該第１の段部１４ｅに載置された前記フィルタ１３の両辺端部の上面に、ガスケット１６を介して後述する前記第１のフィルタホルダ１５ａ，１５ｂが有する下段部１５ｅに設けられた凸部１５ｅ１が載置された時に、当該下段部１５ｅの基端が載置されるように前記第１の段部１４ｅの上段に階段状に設けられた第２の段部１４ｆと、同じく当該第１の段部１４ｅに載置された前記フィルタ１３の両辺端部の上面に、ガスケット１６を介して前記第１のフィルタホルダ１５ａ，１５ｂが有する下段部１５ｅに設けられた凸部１５ｅ１が載置された時に、第１のフィルタホルダ１５ａ，１５ｂが有する上段部１５ｆが載置されると共にネジ締結されるネジ穴１４ｇ１を所定の４箇所に有し前記第２の段部１４ｆの上段に階段状に設けられた第３の段部１４ｇと、前記プラズマディスプレイパネル１１ｅの背面に設けられたブラケット１１ｅ１端部を載置するために前記第３の段部１４ｇの上段に略コ字状に設けられ、ネジ締結されるネジ穴を有する第４の段部１４ｈとを有すると共に、前記第２の段部と前記第３の段部間の側面の所定箇所には前記第１のフィルタホルダが有する突起が嵌入し位置決めされる嵌入穴が設けられ、更に前記第３の段部１４ｇと前記第４の段部１４ｈ間の側面の所定箇所にはキャビネット１２のビューエリア上端側に対応する位置の所定箇所に設けられる不図示の凸部に係止可能な係止穴１４ｉが設けられて成る直線状フレームである。
【００４６】
前記第２のパネルホルダ１４ｃ，１４ｄは、図４に示すように、その横断面形状が、前記フィルタ１３のビューエリア左右端に各々対応する両辺端部の下面を載置する段部としての第１の段部１４ｅと、当該第１の段部１４ｅに載置された前記フィルタ１３の両辺端部の上面に、ガスケット１６を介して後述する前記第２のフィルタホルダ１５ｃ，１５ｄが有する凸部１５ｅ１が載置された時に、当該第２のフィルタホルダ１５ｃ，１５ｄの端部が載置されると共にネジ締結されるネジ穴１４ｆ１を所定の３箇所に有し前記第１の段部１４ｅの上段に階段状に設けられた第２の段部１４ｆとを有する直線状フレームである。尚、後に装着するキャビネット１２の構造上、前記第１のパネルホルダ１４ａ，１４ｂよりも周囲にスペース的な余裕があるため、当該第２の段部１４ｆは、前記第１のパネルホルダ１４ａ，１４ｂが有する前記第２の段部１４ｆよりも若干長く設定され、前記ネジ穴１４ｆ１の配置が可能となっている。
【００４７】
前記第１のフィルタホルダ１５ａ，１５ｂは、図３に示すように、その横断面形状が、前記第１のパネルホルダ１４ａ、１４ｂの前記第１の段部１４ｅに載置された前記フィルタ１３上にガスケット１６を介して載置した際、当該ガスケット１６に当接する凸部１５ｅ１を有すると共にその基端が前記第１のパネルホルダ１４ａ，１４ｂの前記第２の段部１４ｆに載置される下段部１５ｅと、前記第１のパネルホルダ１４ａ、１４ｂの前記第３の段部１４ｇに載置されると共にネジ締結されるネジ挿入穴１５ｆ１を所定の４箇所に有し、前記下段部１５ｅの上段に階段状に設けられた上段部１５ｆとを有すると共に、前記下段部１５ｅと前記上段部１５ｆ間の側面の所定箇所には前記第１のパネルホルダが有する嵌入穴に嵌入し位置決めされる突起が設けられて成る直線状フレームである。
【００４８】
前記第２のフィルタホルダ１５ｃ，１５ｄは、図４に示すように、その横断面形状が、前記第２のパネルホルダ１４ｃ，１４ｄの前記第１の段部１４ｅに載置された前記フィルタ１３上にガスケット１６を介して載置した際、当該ガスケット１６に当接する凸部１５ｅ１を有すると共に、ネジ締結されるネジ挿入穴１５ｆ１を所定の３箇所に有し、前記第２のパネルホルダ１４ｃ，１４ｄの前記第２の段部１４ｆに載置される端部を有する直線状フレームである。
【００４９】
上記のように構成された前記第１のパネルホルダ１４ａ，１４ｂ、前記第２のパネルホルダ１４ｃ，１４ｄ、前記第１のフィルタホルダ１５ａ，１５ｂ、及び前記第２のフィルタホルダ１５ｃ，１５ｄを用いて、前記キャビネット１２、前記プラズマディスプレイパネル１１ｅ、及び前記フィルタ１３を組付ける場合には、本工程のライン上に載置した状態で行われる。
【００５０】
即ち、組付け開口１２ａが上方となるように本ライン上に置いた略額縁状のキャビネット１２の当該組付け開口１２ａ内のビューエリア上下端、及び左右端に対応する４辺に、上方より一対の前記第１のパネルホルダ１４ａ，１４ｂ、及び一対の前記第２のパネルホルダ１４ｃ，１４ｄを各々、前記第１の段部１４ｅ、前記第２の段部１４ｆ、及び前記第３の段部１４ｇがキャビネット１２内方側に位置するように載置する。又、ビューエリア上方に位置する側の第１のパネルホルダ１４ａの前記係止穴１４ｉを、キャビネット１２に設けられた前記凸部に挿入係止が併せて成される。
【００５１】
次いで前記フィルタ１３を、前記第１のパネルホルダ１４ａ，１４ｂ及び前記第２のパネルホルダ１４ｃ，１４ｄの各前記第１の段部１４ｅ上に上方より載置し、更に、フィルタ１３の第１の段部１４ｅへの当該載置部分上方にガスケット１６を介して前記凸部１５ｅ１が当接するように前記第１のフィルタホルダ１５ａ，１５ｂ及び前記第２のフィルタホルダ１５ｃ，１５ｄを、前記第１のパネルホルダ１４ａ，１４ｂ及び前記第２のパネルホルダ１４ｃ，１４ｄと各々組みとなるように載置すると共に、前記第１のフィルタホルダについては前記突起を前記第１のパネルホルダ１４ａ，１４ｂの前記嵌入穴に嵌入して位置決めし、前記第１のフィルタホルダ１５ａ，１５ｂの上段部１５ｆに設けられた前記ネジ挿入穴１５ｆ１及び、前記第２のフィルタホルダ１５ｃ，１５ｄの端部に設けられた前記ネジ挿入穴１５ｆ１に各々不図示のネジを上方より挿入し、各々に対応する前記第１のパネルホルダ１４ａ、１４ｂの第３の段部１４ｇに設けられたネジ穴１４ｇ１及び、前記第２のパネルホルダ１４ｃ，１４ｄの第２の段部１４ｆに設けられたネジ穴１４ｆ１に各々締結する。
【００５２】
この結果、前記フィルタ１３の載置された端部は、前記第１のパネルホルダ１４ａ，１４ｂ及び前記第２のパネルホルダ１４ｃ，１４ｄの各第１の段部１４ｅと、前記第１のフィルタホルダ１５ａ，１５ｂ及び前記第２のフィルタホルダ１５ｃ，１５ｄの各凸部１５ｅ１間で、前記ガスケット１６を介して挟持固定されることになる。
【００５３】
続いて、前記プラズマディスプレイパネル１１ｅをその背面に設けられた前記ブラケット１１ｅ１が前記第１のパネルホルダ１４ａ，１４ｂの第４の段部１４ｈに当接するように上方より載置し、当該ブラケット１１ｅ１に設けられたネジ挿入孔を介して第４の段部１４ｈに設けられた前記ネジ穴を上方よりネジ締結することで、プラズマディスプレイパネル１１ｅが前記各パネルホルダ１４に固定される。
【００５４】
この後、キャビネット１２の組付け開口１２ａ内におけるビューエリア下端に対応する位置に設けられた不図示のボスに、前記第１のパネルホルダ１４ｂの不図示のネジ挿入穴を介してネジ締結することで、ビューエリア上端側が前記凸部で係止されているキャビネット１２は前記各パネルホルダ１４への固定が成される。
【００５５】
以上に説明した通り、前記キャビネット１２、前記プラズマディスプレイパネル１１ｅ、及び前記フィルタ１３の組付けに際して、前記プラズマディスプレイパネル１１ｅが取り付けられるパネルホルダ１４と、当該パネルホルダ１４に前記フィルタ１３を挟持するフィルタホルダ１５とを併せて用いる上記構成によれば、従来のようなサブラインでの組付け作業を要せず、前記キャビネット１２を本工程のライン上に載置した状態で、上方から前記プラズマディスプレイパネル１１ｅ、及び前記フィルタ１３を前記パネルホルダ１４及び前記フィルタホルダ１５を介して重ね、上方よりネジ締結可能とし得る。その結果、従来のサブラインでの組付け作業で要した工数を大幅に低減せしめる。
【００５６】
又、フィルタ１３のパネルホルダ１４への装着に際しては、直接ネジで行うのではなく、パネルホルダ１４とフィルタホルダ１５間で挟持固定する構造としているのでネジ点数が必要最小限で済み、従来の直接ネジ装着を行う場合に比べ、大幅にネジ点数を低減せしめる。加えて、キャビネット１２とパネルホルダ１４間の装着も、ビューエリア上端側では係合構造をとっているため、ネジ装着は下端側のみで済み、やはりネジ点数を低減せしめる。
【００５７】
更に、ネジ装着は全て、上方から行い得るため、従来のような側方から、或いは前後方向からのネジ装着を要する場合に比べて、作業性を大幅に向上させることができる。
【００５８】
更に、前記プラズマディスプレイパネル１１ｅとフィルタ１３間の離間距離は、前記パネルホルダ１４及びフィルタホルダ１５による装着位置で規定できるため、従来のようなスペーサを不要化することができる。
【００５９】
更に、キャビネット１２とパネルホルダ１４間の装着を、前述したようにビューエリア上端側では係合構造をとっているため、プラズマテレビ１１の後の調整作業、或いはメンテナンス作業時のようなキャビネット１２を脱着する作業が必要な場合に、下端側のネジを外しても、上端側はパネルホルダ１４と係合しているため、キャビネット１２の脱落を抑制することができる。合わせて、ネジの脱着は下端側のみで済むため、作業性も向上する。
【００６０】
従って、低コストな組付け構造、組付け方法、及び当該組付け構造により組みつけられたプラズマテレビを提供することが可能となる。
【００６１】
尚、本願発明は実施例の構成に限定されるものではなく、以下に列記する構成について、適宜変更可能である。
１．各実施例では、フラットディスプレイパネルとしてプラズマディスプレイパネルの場合を例に説明したが、これに限定はされず、液晶、有機ＥＬ等の他のフラットディスプレイパネルにも適用可能である。
２．実施例でのパネルサイズは３７インチ以上として説明したが、これはあくまで一例に過ぎず、限定はされない。但し、上述した各効果は、パネルサイズが大きく重量がかさむサイズにおいて、より研著となる。
３．実施例に記載したパネルホルダ、及びフィルタホルダの具体的な形状は一例に過ぎず、何ら限定されるものではない。要は、ライン上に載置したキャビネットに上方から載置したフィルタをパネルホルダ、及びフィルタホルダ間で挟持固定し、同じく上方から載置したフラットディスプレイパネルを固定可能であればよく、形状は適宜変更し得る。
【００６２】
又、実施例ではパネルホルダ、及びフィルタホルダの断面形状をビューエリアの上下側と左右側とでは異なる構成にしているが、これは、装着するキャビネット１２の構造上、前記第１のパネルホルダ１４ａ，１４ｂの周囲にはスペース的な余裕が少ないため、前記第２の段部を短くする必要があってネジ穴が設けられないため、その上段に第３の段部を設けてネジ穴を設けたことによる。従って、そのような制約が無ければ、必ずしも両者を異なる断面形状にする必要はなく、形状を同一にするようにしても良い。
４．実施例では、ネジの装着方向を全て上方から可能な構成としているが、必ずしもこれに限定されることはなく、ライン上での装着作業が可能であれば、上方ではなく例えば側方からネジ装着するような構成に変更しても良い。この場合、上方からネジ装着する場合に比べ、作業性が若干劣る可能性があるが、その他の効果については引き続き得られる。
５．キャビネットのビューエリア上端側とパネルホルダとの間の係止構造を省略し、単にネジ止めによる固定構造にしても良い。この場合、後のキャビネット脱着作業時における脱落抑制効果は得られなくなるが、その他の効果について引き続き得られる。
６．実施例で説明した構成は、組付け構造、組付け方法、或いは当該組付け構造により組みつけられたプラズマテレビの何れとしても提供し得るのは言うまでも無い。
【００６３】
以下に請求項３以降の作用について述べる。
【００６４】
請求項３に記載の発明は、樹脂成形されたキャビネットと、フラットディスプレイパネルと、フィルタとを組付ける組付け構造において、前記パネルホルダ及び前記フィルタホルダは各一つずつで組となり、取り付けられる前記フラットディスプレイパネルのビューエリア上下左右端に各々対応する計４組を備え、前記パネルホルダは、その横断面形状が、前記フィルタの４辺端部の下面を載置する段部を有する直線状フレームである一方、前記フィルタホルダはパネルホルダの前記段部に載置されたフィルタにガスケットを介して当接する凸部を有する直線状フレームであり、前記キャビネットと、前記プラズマディスプレイパネルと、前記フィルタとを組付ける場合には、組付け開口が上方となるように置いた略額縁状のキャビネットの当該組付け開口内のビューエリア上下端、及び左右端に対応する４辺端部に上方より、４つの前記パネルホルダを前記段部がキャビネット内方側に位置するように各々載置し、当該パネルホルダの各段部に上方より、前記フィルタの４辺端部を各々載置し、当該フィルタの４辺端部上面にガスケットを介して組となる４つの前記フィルタホルダをその凸部が当接するように載置し、各組の前記パネルホルダと前記フィルタホルダ間を上方より締結して前記フィルタを挟持固定した後、前記フラットディスプレイパネルを上方より重ねて前記パネルホルダに上方より締結して固定する構成としている。
【００６５】
上記のように構成した請求項３に記載の発明によれば、前記キャビネットを前記フラットディスプレイパネル、及び前記フィルタに組付ける場合には、組付け開口が上方となるように置いたキャビネットの当該組付け開口内に上方より、前記フラットディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記パネルホルダの段部と前記フィルタホルダの凸部とで前記フィルタの端部を挟持固定した後、前記フラットディスプレイパネルを上方より重ねて前記パネルホルダに上方より締結して固定する。
【００６６】
請求項４に記載の発明は、樹脂成形されたキャビネットと、フラットディスプレイパネルと、フィルタとを組付ける組付け構造において、前記フラットディスプレイパネルは３７インチ以上のサイズのプラズマディスプレイパネルであって、前記パネルホルダは、取り付けられる前記プラズマディスプレイパネルのビューエリア上下端に各々対応する一対の第１のパネルホルダと、前記プラズマディスプレイパネルのビューエリア左右端に各々対応し、前記第１のパネルホルダよりも短い一対の第２のパネルホルダとの計４つから成る一方、前記フィルタホルダは、挟持する前記フィルタのビューエリア上下端に各々対応する一対の第１のフィルタホルダと、挟持する前記フィルタのビューエリア左右端に各々対応し、前記第１のフィルタホルダよりも短い一対の第２のフィルタホルダとの計４つから成り、前記第１のパネルホルダは、その横断面形状が、前記フィルタのビューエリア上下端に各々対応する両辺端部の下面を載置する第１の段部と、当該第１の段部に載置された前記フィルタの両辺端部の上面に、ガスケットを介して前記第１のフィルタホルダが有する下段部に設けられた凸部が載置された時に、当該下段部の基端が載置されるように前記第１の段部の上段に階段状に設けられた第２の段部と、同じく当該第１の段部に載置された前記フィルタの両辺端部の上面に、ガスケットを介して前記第１のフィルタホルダが有する下段部に設けられた凸部が載置された時に、第１のフィルタホルダが有する上段部が載置されると共にネジ締結されるネジ穴を所定の４箇所に有し前記第２の段部の上段に階段状に設けられた第３の段部と、前記プラズマディスプレイパネルの背面に設けられたブラケット端部を載置するために前記第３の段部の上段に略コ字状に設けられ、ネジ締結されるネジ穴を有する第４の段部とを有すると共に、前記第２の段部と前記第３の段部間の側面の所定箇所には前記第１のフィルタホルダが有する突起が嵌入し位置決めされる嵌入穴が設けられた直線状フレームである一方、前記第２のパネルホルダは、その横断面形状が、前記フィルタのビューエリア左右端に各々対応する両辺端部の下面を載置する第１の段部と、当該第１の段部に載置された前記フィルタの両辺端部の上面に、ガスケットを介して前記第２のフィルタホルダが有する凸部が載置された時に、当該第２のフィルタホルダの端部が載置されると共にネジ締結されるネジ穴を所定の３箇所に有し前記第１の段部の上段に階段状に設けられた第２の段部とを有する直線状フレームであり、前記第１のフィルタホルダは、その横断面形状が、前記第１のパネルホルダの前記第１の段部に載置された前記フィルタ上にガスケットを介して載置した際、当該ガスケットに当接する凸部を有すると共にその基端が前記第１のパネルホルダの前記第２の段部に載置される下段部と、前記第１のパネルホルダの前記第３の段部に載置されると共にネジ締結されるネジ挿入穴を所定の４箇所に有し、前記下段部の上段に階段状に設けられた上段部とを有すると共に、前記下段部と前記上段部間の側面の所定箇所には前記第１のパネルホルダが有する嵌入穴に嵌入し位置決めされる突起が設けられて成る直線状フレームである一方、前記第２のフィルタホルダは、その横断面形状が、前記第２のパネルホルダの前記第１の段部に載置された前記フィルタ上にガスケットを介して載置した際、当該ガスケットに当接する凸部を有すると共に、ネジ締結されるネジ挿入穴を所定の３箇所に有し、前記第２のパネルホルダの前記第２の段部に載置される端部を有する直線状フレームであり、前記キャビネットと、前記プラズマディスプレイパネルと、前記フィルタとを組付ける場合には、組付け開口が上方となるように本ライン上に置いた略額縁状のキャビネットの当該組付け開口内のビューエリア上下端、及び左右端に対応する４辺に、上方より一対の前記第１のパネルホルダ、及び一対の前記第２のパネルホルダを各々、前記第１の段部、前記第２の段部、及び前記第３の段部がキャビネット内方側に位置するように載置し、次いで前記フィルタを、前記第１のパネルホルダ及び前記第２のパネルホルダの各前記第１の段部上に上方より載置し、更に、フィルタの第１の段部への当該載置部分上方にガスケットを介して前記凸部が当接するように前記第１のフィルタホルダ及び前記第２のフィルタホルダを、前記第１のパネルホルダ及び前記第２のパネルホルダと各々組みとなるように載置すると共に、前記第１のフィルタホルダについては前記突起を前記第１のパネルホルダの前記嵌入穴に嵌入して位置決めし、前記第１のフィルタホルダの上段部に設けられた前記ネジ挿入穴及び、前記第２のフィルタホルダの端部に設けられた前記ネジ挿入穴に各々ネジを上方より挿入し、各々に対応する前記第１のパネルホルダの第３の段部に設けられたネジ穴及び、前記第２のパネルホルダの第２の段部に設けられたネジ穴に各々締結することで、前記フィルタの載置された端部を前記第１のパネルホルダ及び前記第２のパネルホルダの各第１の段部と、前記第１のフィルタホルダ及び前記第２のフィルタホルダの各凸部間で、前記ガスケットを介して挟持固定し、続いて、前記プラズマディスプレイパネルをその背面に設けられた前記ブラケットが前記第１のパネルホルダの第４の段部に当接するように上方より載置し、当該ブラケットに設けられたネジ挿入孔を介して第４の段部に設けられた前記ネジ穴を上方よりネジ締結することで、前記キャビネットを本ライン上に載置した状態で、上方から前記プラズマディスプレイパネル、及び前記フィルタを前記パネルホルダ及び前記フィルタホルダを介して重ね、上方よりネジ締結可能とし、従来のサブラインでの組付け作業で要した工数、及び組付け用のネジ点数を低減せしめると同時に、プラズマディスプレイパネルとフィルタ間に要したスペーサを不要化ならしめる構成としている。
【００６７】
上記のように構成した請求項４に記載の発明によれば、前記キャビネットを前記プラズマディスプレイパネル、及び前記フィルタに組付ける場合には、組付け開口が上方となるように置いたキャビネットの当該組付け開口内に上方より、前記プラズマディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記パネルホルダの第１の段部と前記フィルタホルダの凸部とで前記フィルタの端部を挟持固定した後、前記プラズマディスプレイパネルを上方より重ねて前記パネルホルダに上方より締結して固定する。
【００６８】
請求項５に記載の発明は、樹脂成形されたキャビネットと、フラットディスプレイパネルとしてのプラズマディスプレイパネルと、フィルタとを組付ける組付け構造において、前記第１のパネルホルダは、前記第３の段部と前記第４の段部間の側面の所定箇所にキャビネットのビューエリア上端側に対応する位置の所定箇所に設けられる凸部に係止可能な係止穴が設けられて成り、前記キャビネットと、前記プラズマディスプレイパネルと、前記フィルタとを組付ける場合に、一対の当該第１のパネルホルダの内のビューエリア上方に位置する側の前記係止穴を、キャビネットに設けられた前記凸部に挿入係止し、プラズマテレビの後のキャビネット脱着作業時における、キャビネット脱落を抑制ならしめる構成としている。
【００６９】
上記のように構成した請求項５に記載の発明によれば、上記請求項４に記載の作用に加え、ビューエリア上方に位置する側の第１のパネルホルダに設けられた前記係止穴に、キャビネットに設けられた前記凸部が挿入係止される。
【００７０】
請求項６に記載の発明は、樹脂成形されたキャビネットと、フラットディスプレイパネルと、フィルタとを組付ける組付け方法において、前記キャビネットと、前記フラットディスプレイパネルと、前記フィルタとを組付ける場合には、組付け開口が上方となるように置いたキャビネットの当該組付け開口内に上方より、前記フラットディスプレイパネルが取り付けられるパネルホルダ、前記フィルタ、前記パネルホルダに前記フィルタを挟持するフィルタホルダを順に重ね、前記パネルホルダと前記フィルタホルダ間を上方より締結して前記フィルタを挟持固定した後、前記フラットディスプレイパネルを上方より重ねて前記パネルホルダに上方より締結して固定する構成としている。
【００７１】
上記のように構成した請求項６に記載の発明によれば、上記請求項２と同様の作用が得られる組付け方法が提供される。
【産業上の利用可能性】
【００７２】
樹脂成形されたキャビネットと、フラットディスプレイパネルと、フィルタとを組付ける際、従来必要であったサブライン工程での組付け作業を不要化して本工程ラインでの容易な組付けを可能とし、作業性を向上させて工数の低減を図ると同時に、フラットディスプレイパネルとフィルタ間のスペーサの不要化、ネジ締め工数の低減、及びネジ点数の低減を図ることで、低コストな組付け構造、組付け方法、及び当該組付け構造により組みつけられたプラズマテレビを提供する。
【図面の簡単な説明】
【００７３】
【図１】本発明の実施例１を説明するブロック図である。
【図２】本発明の実施例１を説明する斜視図である。
【図３】本発明の実施例１を説明する部分断面図である。
【図４】本発明の実施例１を説明する部分断面図である。
【図５】従来技術を説明する斜視図である。
【符号の説明】
【００７４】
１１…プラズマテレビ
１１ｅ…フラットディスプレイパネルとしてのプラズマディスプレイパネル
１１ｅ１…ブラケット
１２…キャビネット
１２ａ…組付け開口
１３…フィルタ
１４…パネルホルダ
１４ａ，１４ｂ…パネルホルダとしての第１のパネルホルダ
１４ｃ，１４ｄ…パネルホルダとしての第２のパネルホルダ
１４ｅ…段部としての第１の段部
１４ｆ…第２の段部
１４ｆ１…ネジ穴
１４ｇ…第３の段部
１４ｇ１…ネジ穴
１４ｈ…第４の段部
１４ｉ…係止穴
１５…フィルタホルダ
１５ａ，１５ｂ…フィルタホルダとしての第１のフィルタホルダ
１５ｃ，１５ｄ…フィルタホルダとしての第２のフィルタホルダ
１５ｅ…下段部
１５ｅ１…凸部
１５ｆ…上段部
１５ｆ１…ネジ挿入穴
１６…ガスケット
【図１】
2007114671.tif 000003
【図２】
2007114671.tif 000004
【図３】
2007114671.tif 000005
【図４】
2007114671.tif 000006
【図５】
2007114671.tif 000007